(57)【要約】【課題】  光ファイバの高密度化を図りつつ、光ファイバの側圧特性を向上させることができるコネクタ付き光ファイバコードを提供する。【解決手段】  コネクタ付き光ファイバコード１は、コネクタフェルール１０と、このコネクタフェルール１０に積層状態で組み付けられたテープ心線４Ａ〜４Ｄとを有している。コネクタフェルール１０は、複数段に配列され、各テープ心線４Ａ〜４Ｄの光ファイバ７が挿入されるファイバ穴１２Ａ〜１２Ｄと、階段状に設けられ、光ファイバ７を各ファイバ穴１２Ａ〜１２Ｄに導くためのガイド溝１３Ａ〜１３Ｄとを有している。各テープ心線４Ａ〜４Ｄの積層方向の配列ピッチＱは、各ファイバ穴１２Ａ〜１２Ｄの段方向の配列ピッチＰに対して大きくなっている。また、積層状態のテープ心線４Ａ〜４Ｄとテープ収容部１４の底面１４ａとの間には、平板状のスペーサ２１が配置されている。【選択図】  図７
2005208168.tif 000002
【特許請求の範囲】
【請求項１】
複数段に配列された複数のファイバ穴を有するコネクタフェルールと、
前記コネクタフェルールに積層状態で組み付けられ、前記各段のファイバ穴に挿入された光ファイバを有する複数の光ファイバテープ心線とを備え、
前記光ファイバテープ心線の積層方向の配列ピッチの少なくとも一部が前記ファイバ穴の段方向の配列ピッチよりも大きいことを特徴とするコネクタ付き光ファイバコード。
【請求項２】
前記コネクタフェルールには、光ファイバを前記ファイバ穴に導くための複数のガイド溝が階段状に設けられており、
前記コネクタフェルールにおける前記複数のファイバ穴を含むファイバ穴領域の段方向の中心に対して、前記積層状態の複数の光ファイバテープ心線からなるテープ心線群の積層方向の中心が前記階段状のガイド溝の上段側にオフセットされていることを特徴とする請求項１記載のコネクタ付き光ファイバコード。
【請求項３】
前記ファイバ穴領域の段方向の中心に対して前記テープ心線群の積層方向の中心をオフセットさせる手段は、前記コネクタフェルール内に挿入されたスペーサであることを特徴とする請求項２記載のコネクタ付き光ファイバコード。
【請求項４】
前記ファイバ穴領域の段方向の中心に対して前記テープ心線群の積層方向の中心をオフセットさせる手段は、前記コネクタフェルール内に挿入され、前記テープ心線群を挿通させる挿通孔を有する偏肉ゴムブーツであることを特徴とする請求項２記載のコネクタ付き光ファイバコード。
【請求項５】
前記ファイバ穴領域の段方向の中心に対して前記テープ心線群の積層方向の中心をオフセットさせる手段は、前記コネクタフェルール内に挿入され、前記テープ心線群が挿通された収縮チューブと、前記コネクタフェルールと前記収縮チューブとの間に配置されたスペーサとを有することを特徴とする請求項２記載のコネクタ付き光ファイバコード。
【請求項６】
前記コネクタフェルール内における前記光ファイバの曲げ歪みが０．２５％以下であることを特徴とする請求項１〜５のいずれか一項記載のコネクタ付き光ファイバコード。
【請求項７】
前記光ファイバには空孔が設けられていることを特徴とする請求項１〜６のいずれか一項記載のコネクタ付き光ファイバコード。
【請求項８】
前記光ファイバは、波長１．５５μｍにおけるPetermann−１の定義によるモードフィールド径が８μｍ以下、ケーブルカットオフ波長が１．２６μｍ以下となるように構成されていることを特徴とする請求項１〜６のいずれか一項記載のコネクタ付き光ファイバコード。
【請求項９】
前記複数の光ファイバテープ心線を覆うジャケットを更に備えることを特徴とする請求項１〜８のいずれか一項記載のコネクタ付き光ファイバコード。
【発明の詳細な説明】
【技術分野】
【０００１】
本発明は、光ファイバ心線をコネクタフェルールに組み付けて形成されたコネクタ付き光ファイバコードに関するものである。
【背景技術】
【０００２】
近年の情報トラフィックの増大に伴い、通信業者のセントラルオフィスにおいて、大容量データを高速で処理するために、機器間における並列光伝送の重要性が増している。これまでの接続インターフェースとしては、単心のＳＣコネクタ、ＭＵコネクタや、ＭＴコネクタをベースとした１段配列の１２心までの多心コネクタが使用されてきたが、更に伝送密度を増すために、光ファイバが複数段に配列された２次元コネクタが必要となってきている。このような２次元コネクタとしては、例えば特許文献１に記載されたものがある。
【特許文献１】特開平１１−８４１７７号公報
【発明の開示】
【発明が解決しようとする課題】
【０００３】
上記のような２次元コネクタを接続インターフェースとして使用し、並列光伝送を行う場合には、光ファイバを高密度に接続することが望まれている。また、光ファイバの光損失を低減するためには、光ファイバの側圧特性を良好にする必要がある。
【０００４】
本発明の目的は、光ファイバの高密度化を図りつつ、光ファイバの側圧特性を向上させることができるコネクタ付き光ファイバコードを提供することである。
【課題を解決するための手段】
【０００５】
本発明のコネクタ付き光ファイバコードは、複数段に配列された複数のファイバ穴を有するコネクタフェルールと、コネクタフェルールに積層状態で組み付けられ、各段のファイバ穴に挿入された光ファイバを有する複数の光ファイバテープ心線とを備え、光ファイバテープ心線の積層方向の配列ピッチの少なくとも一部がファイバ穴の段方向の配列ピッチよりも大きいことを特徴とするものである。
【０００６】
このようなコネクタ付き光ファイバコードにおいては、コネクタフェルールにおけるファイバ穴の段方向の配列ピッチが狭くなるほど、光ファイバの高密度化を図ることが可能となる。このとき、光ファイバテープ心線の積層方向の配列ピッチがファイバ穴の段方向の配列ピッチと同等であると、光ファイバテープ心線の被覆が薄くならざるを得ず、この場合には光ファイバテープ心線が側圧に対して弱くなる。そこで、光ファイバテープ心線の積層方向の配列ピッチの少なくとも一部をファイバ穴の段方向の配列ピッチよりも大きくすることにより、その分だけ光ファイバテープ心線の被覆を厚くすることができる。従って、光ファイバテープ心線の側圧特性を向上させることが可能となる。
【０００７】
好ましくは、コネクタフェルールには、光ファイバをファイバ穴に導くための複数のガイド溝が階段状に設けられており、コネクタフェルールにおける複数のファイバ穴を含むファイバ穴領域の段方向の中心に対して、積層状態の複数の光ファイバテープ心線からなるテープ心線群の積層方向の中心が階段状のガイド溝の上段側にオフセットされている。
【０００８】
このように階段状のガイド溝を設けることにより、各光ファイバテープ心線の光ファイバを対応する段のファイバ穴に挿入しやすくなる。このとき、テープ心線群の積層方向の中心を、コネクタフェルールにおけるファイバ穴領域の段方向の中心に対してガイド溝の上段側にオフセットさせることにより、最もガイド溝の下段側に位置する光ファイバがガイド溝の下段側に曲がってガイド溝の端部に当たってしまうことを回避できる。これにより、当該光ファイバの破断等を確実に防止できる。
【０００９】
ファイバ穴領域の段方向の中心に対してテープ心線群の積層方向の中心をオフセットさせる手段は、コネクタフェルール内に挿入されたスペーサであるのが好ましい。この場合には、コネクタフェルール内に各光ファイバテープ心線（テープ心線群）を挿入した後、コネクタフェルール内にスペーサを挿入することで、コネクタフェルールのファイバ穴領域に対するテープ心線群のオフセットを簡単な構造で且つ容易に行うことができる。
【００１０】
また、ファイバ穴領域の段方向の中心に対してテープ心線群の積層方向の中心をオフセットさせる手段は、コネクタフェルール内に挿入され、テープ心線群を挿通させる挿通孔を有する偏肉ゴムブーツであっても良い。この場合には、偏肉ゴムブーツの挿通孔にテープ心線群を挿通させてから、偏肉ゴムブーツをコネクタフェルール内に挿入するだけで良いので、コネクタフェルールのファイバ穴領域に対するテープ心線群のオフセットを容易に行うことができる。また、各ファイバ穴に挿入された光ファイバを接着剤でコネクタフェルールに固定させる場合に、偏肉ゴムブーツによって、コネクタフェルールからの接着剤の洩れを確実に防止できる。
【００１１】
さらに、ファイバ穴領域の段方向の中心に対してテープ心線群の積層方向の中心をオフセットさせる手段は、コネクタフェルール内に挿入され、テープ心線群が挿通された収縮チューブと、コネクタフェルールと収縮チューブとの間に配置されたスペーサとを有しても良い。この場合には、各光ファイバテープ心線（テープ心線群）を収縮チューブに挿通させた後に、収縮チューブを収縮させ、その状態で収縮チューブ及びスペーサをコネクタフェルール内に挿入することにより、コネクタフェルールのファイバ穴領域に対してテープ心線群をオフセットさせる。ここで、収縮チューブを収縮させる前は、収縮チューブの開口が広いため、テープ心線群を容易に収縮チューブに挿通させることができる。また、収縮チューブを収縮させた後は、収縮チューブがテープ心線群に対して密着するので、各ファイバ穴に挿入された光ファイバを接着剤でコネクタフェルールに固定させる場合に、光ファイバテープ心線間を接着剤が流れることを防止できる。
【００１２】
また、好ましくは、コネクタフェルール内における光ファイバの曲げ歪みが０．２５％以下である。ファイバ穴の段方向の配列ピッチと光ファイバテープ心線の積層方向の配列ピッチとが異なっていると、コネクタフェルール内で光ファイバの曲げ歪みが発生するが、その曲げ歪みを０．２５％以下とすることで、光ファイバの破断等を確実に防止できる。
【００１３】
さらに、好ましくは、光ファイバには空孔が設けられている。このような光ファイバは、曲げた時の損失が比較的小さい。従って、ファイバ穴の段方向の配列ピッチと光ファイバテープ心線の積層方向の配列ピッチとの相違によって、コネクタフェルール内で光ファイバの曲げ歪みが発生しても、光ファイバの曲げ損失を低く抑えることができる。
【００１４】
また、光ファイバは、波長１．５５μｍにおけるPetermann−１の定義によるモードフィールド径が８μｍ以下、ケーブルカットオフ波長が１．２６μｍ以下となるように構成されていても良い。このような光ファイバは曲げに対して強いため、ファイバ穴の段方向の配列ピッチと光ファイバテープ心線の積層方向の配列ピッチとの相違によって、コネクタフェルール内で光ファイバの曲げ歪みが発生しても、光ファイバの曲げ損失を低く抑えることができる。
【００１５】
また、好ましくは、複数の光ファイバテープ心線を覆うジャケットを更に備える。この場合には、光ファイバテープ心線がジャケットによって保護されるため、例えば光ファイバコードをフロア面に這わせて配線する場合に有利である。
【発明の効果】
【００１６】
本発明によれば、光ファイバテープ心線の積層方向の配列ピッチの少なくとも一部を、コネクタフェルールにおけるファイバ穴の段方向の配列ピッチよりも大きくしたので、光ファイバの高密度化と光ファイバの側圧特性の向上とを両立させることができる。
【発明を実施するための最良の形態】
【００１７】
以下、本発明に係わるコネクタ付き光ファイバコードの好適な実施形態について図面を参照して説明する。
【００１８】
図１は、本発明に係わるコネクタ付き光ファイバコードの一実施形態を示す斜視図である。同図において、本実施形態のコネクタ付き光ファイバコード１は、光ファイバコード２の端部を光コネクタプラグ３に結線したものである。
【００１９】
光ファイバコード２は、図２に示すように、複数枚（ここでは４枚）の光ファイバテープ心線（以下、単にテープ心線という）４Ａ〜４Ｄと、これらのテープ心線４Ａ〜４Ｄを覆う外皮である円筒状のジャケット５とを有し、このジャケット５の内部には充填材６が入っている。各テープ心線４Ａ〜４Ｄは、複数本（ここでは１２本）の光ファイバ７を有している。各テープ心線４Ａ〜４Ｄの端部のテープ被覆８は除去されて、光ファイバ７が露出した状態となっている（図５参照）。
【００２０】
光コネクタプラグ３はハウジング９を有し、このハウジング９の後端部には、光ファイバコード２のジャケット５が連結されている。ハウジング９の内部には、多心ＭＴコネクタフェルール１０が収容されている。このコネクタフェルール１０には、各テープ心線４Ａ〜４Ｄが積層状態で組み付けられている（図５参照）。
【００２１】
図３はコネクタフェルール１０の斜視図であり、図４はコネクタフェルール１０の垂直方向断面図である。各図において、コネクタフェルール１０は、その前面１０ａから後方に延在した１対のガイド穴１１と、これらのガイド穴１１の間において複数段（ここでは４段）に配列され、前面１０ａから後方に延在した複数（ここでは４８本）のファイバ穴１２Ａ〜１２Ｄとを有している。各段のファイバ穴１２Ａ〜１２Ｄには、テープ心線４Ａ〜４Ｄのテープ被覆８から露出した光ファイバ７が挿入される（図５参照）。なお、ファイバ穴１２Ａ〜１２Ｄの長さ寸法は、上段側のものに対して下段側のものが大きくなっている。
【００２２】
コネクタフェルール１０における各ファイバ穴１２Ａ〜１２Ｄの後側には、テープ心線４Ａ〜４Ｄの光ファイバ７を各ファイバ穴１２Ａ〜１２Ｄに導くための複数のガイド溝１３Ａ〜１３Ｄが階段状に設けられている。また、コネクタフェルール１０の後側部分には、各テープ心線４Ａ〜４Ｄのテープ被覆８を積層状態で収容するためのテープ収容部１４が設けられている。さらに、コネクタフェルール１９の上部には、光ファイバ固定用の接着剤Ｓ（図５参照）をコネクタフェルール１０内に充填するための窓部１５が設けられている。
【００２３】
ここで、コネクタフェルール１０における各ファイバ穴１２Ａ〜１２Ｄの段方向（フェルール上下方向）の配列ピッチＰは、高密度化の観点から０．１２５〜０．２５ｍｍとなっている。また、複数枚のテープ心線４Ａ〜４Ｄを積層した状態において、各テープ心線４Ａ〜４Ｄの積層方向の配列ピッチＱは、各テープ心線４Ａ〜４Ｄのテープ被覆８の厚みに応じて０．２６〜０．４５ｍｍとなる。つまり、各ファイバ穴１２Ａ〜１２Ｄの段方向の配列ピッチＰに対して、各テープ心線４Ａ〜４Ｄの積層方向の配列ピッチＱが大きくなっている。なお、各テープ心線４Ａ〜４Ｄの積層方向の配列ピッチＱの一部を、各ファイバ穴１２Ａ〜１２Ｄの段方向の配列ピッチＰよりも大きくしてもよい。
【００２４】
特に、５００ｍ以下の並列光伝送で用いられるＧＩ型光ファイバの場合は、側圧を受けることでロスが増加しやすい傾向にあるので、側圧特性の改善のために、テープ心線のテープ被覆を厚めに作っている。この場合には、両者の配列ピッチの違いが顕著になる。
【００２５】
このように各ファイバ穴１２Ａ〜１２Ｄの配列ピッチＰと各テープ心線４Ａ〜４Ｄの配列ピッチＱとを異ならせることにより、光ファイバ８の高密度接続化が図れると共に、テープ心線４Ａ〜４Ｄ（光ファイバコード２）の側圧特性を良好にすることができる。
【００２６】
このような配列ピッチＰ，Ｑの違いによって、図５に示すように、コネクタフェルール１０内では光ファイバ７の曲がり歪みが生じる。この曲がり歪みが大きいと、光ファイバ７の曲げ損失が増大するばかりでなく、光ファイバ７の断線確率が高くなる。このため、コネクタフェルール１０内における光ファイバ７の曲げ歪みが０．２５％以下となるように、テープ心線４Ａ〜４Ｄの厚みやコネクタフェルール１０の内部構造を設計するのが望ましい。なお、光ファイバ７の曲げ歪みが０．２５％のときは、光ファイバ７の曲げ半径が１０．３７５ｍｍとなる。
【００２７】
また、シングルモード光ファイバを使用して、１ｋｍ以上を１０Gbps/ch以上で高密度並列伝送するような場合に、設計上コネクタフェルール１０内における光ファイバ７の曲げ歪みを小さくすることが困難なときは、光ファイバ７として、例えば外径が８０μｍのホーリーファイバを使用するのが望ましい。ホーリーファイバは、図６に示すように、コア１６を取り囲むクラッド１７に、コア軸心方向に延びる複数の空孔１８を形成したものである。このようなホーリーファイバを使用すると、コネクタフェルール１０内で光ファイバ７の曲がりが生じても、光ファイバ７の曲げ損失が増大せず、光ファイバ７の破断も発生しにくい。
【００２８】
また、光ファイバ７としては、上記のホーリーファイバの代わりに、例えば外径が８０μｍであり、コア径がシングルモード光ファイバよりも小さいものを使用してもよい。その一例としては、波長１．５５μｍにおけるPetermann−１の定義によるモードフィールド径が８μｍ以下、ケーブルカットオフ波長が１．２６μｍ以下を満足する光ファイバがある。この場合には、プルーフレベルが１．５％以上、曲げ直径２０ｍｍでの波長１．５５μｍにおける曲げ損失が０．１ｄＢ／ｋｍ以下という曲げに強いファイバ特性が得られる。従って、光ファイバ７の曲げ損失の増大や光ファイバ７の破断を抑えることができる。
【００２９】
ところで、コネクタフェルール１０にテープ心線４Ａ〜４Ｄを組み付けたときに、図５に示すように、コネクタフェルール１０における各ファイバ穴１２Ａ〜１２Ｄを含むファイバ穴領域１９の段方向の中心Ｒと、積層状態のテープ心線４Ａ〜４Ｄからなるテープ心線群２０の積層方向の中心Ｓとが一致していると、以下の不具合が生じることがある。即ち、上述したように各ファイバ穴１２Ａ〜１２Ｄの配列ピッチＰよりも各テープ心線４Ａ〜４Ｄの配列ピッチＱが大きいため、階段状のガイド溝１３Ａ〜１３Ｄのうち最も下段のガイド溝１３Ｄに位置する光ファイバ７がガイド溝１３Ｄ側（コネクタフェルール１０の下側）に曲がってガイド溝１３Ｄの後端に接触する（図中のＡ参照）。この場合には、最も下側の光ファイバ７の損傷や破断を招く可能性がある。なお、ここでいうファイバ穴領域１９とは、コネクタフェルール１０における最上段のファイバ穴１２Ａから最下段のファイバ穴１２Ｄまでの領域のことである。
【００３０】
そのような不具合を回避すべく、テープ心線４Ａ〜４Ｄがコネクタフェルール１０に組み付けられた状態では、図７に示すように、コネクタフェルール１０のテープ収容部１４に平板状のスペーサ２１が挿入されている。このスペーサ２１は、積層状態のテープ心線４Ａ〜４Ｄ（テープ心線群２０）とテープ収容部１４の底面１４ａとの間に配置されている。これにより、コネクタフェルール１０におけるファイバ穴領域１９の段方向の中心Ｒに対して、テープ心線群２０の積層方向の中心Ｓがガイド溝１３Ａ側（コネクタフェルール１０の上側）にオフセットされた状態となる。この時のオフセット量としては、光ファイバ７の曲がりの影響等を軽減すべく、例えば５０〜１５０μｍ程度であるのが望ましい。
【００３１】
その結果、最も下側の光ファイバ７は、コネクタフェルール１０の後方に向けて真っ直ぐ延びるか、或いはコネクタフェルール１０の上側に曲がるようになり、コネクタフェルール１０の下側に曲がることはない。従って、最も下側の光ファイバ７がガイド溝１３Ｄの後端に当たることが防止されるため、当該光ファイバ７の破損や断線等の発生を防ぐことができる。
【００３２】
また、スペーサ２１という単純な１つの部品を使用するだけで、テープ心線群２０をコネクタフェルール１０に対してフェルール高さ方向に簡単にオフセットさせることができる。
【００３３】
実際に、テープ心線４Ａ〜４Ｄをコネクタフェルール１０に組み付けるときは、テープ心線４Ａ〜４Ｄを積層した状態で、各テープ心線４Ａ〜４Ｄの光ファイバ７を、ガイド溝１３Ａ〜１３Ｄを介してファイバ穴１２Ａ〜１２Ｄに挿入すると共に、各光テープ心線４Ａ〜４Ｄのテープ被覆８の端部をコネクタフェルール１０のテープ収容部１４に収容する。そして、テープ収容部１４にスペーサ２１を差し込み、このスペーサ２１上に積層状態のテープ心線４Ａ〜４Ｄが載るようにする。このような手順を踏むことで、テープ心線４Ａ〜４Ｄをテープ収容部１４に挿入する際に、コネクタフェルール１０のテープ心線挿入口が狭くならずに済むため、テープ心線４Ａ〜４Ｄの挿入作業が容易に行える。
【００３４】
その後、コネクタフェルール１０の窓部１５よりコネクタフェルール１０内に接着剤Ｓを注入する。このとき、接着剤Ｓがコネクタフェルール１０内から洩れないように、例えば接着剤流れ止め部材を用意する必要がある。そして、接着剤Ｓを硬化させることで、テープ心線４Ａ〜４Ｄがコネクタフェルール１０に固定される。
【００３５】
図８は、本発明に係わるコネクタ付き光ファイバコードの他の実施形態の一部を示す垂直方向断面図である。図中、上述した実施形態と同一または同等の部材には同じ符号を付し、その説明を省略する。
【００３６】
同図において、本実施形態のコネクタ付き光ファイバコード３０は、上述した実施形態におけるスペーサ２１に代えて、断面矩形状の偏肉ゴムブーツ３１を有している。偏肉ゴムブーツ３１は、図９に示すように、積層状態のテープ心線４Ａ〜４Ｄ（テープ心線群２０）を挿通させる断面略矩形状の挿通孔３２を有している。挿通孔３２の開口中心は偏肉ゴムブーツ３１の端面３１ａの中心に対して偏芯しており、これにより偏肉ゴムブーツ３１の肉厚が上面側と下面側とで異なっている。
【００３７】
テープ心線４Ａ〜４Ｄがコネクタフェルール１０に組み付けられているときには、テープ心線群２０を偏肉ゴムブーツ３１の挿通孔３２に挿通させた状態で、偏肉ゴムブーツ３１がコネクタフェルール１０のテープ収容部１４に挿入されている。このとき、偏肉ゴムブーツ３１の肉厚の薄い方の側がガイド溝１３Ａ側（コネクタフェルール１０の上側）に位置している。これにより、コネクタフェルール１０におけるファイバ穴領域１９の段方向の中心Ｒに対して、テープ心線群２０の積層方向の中心Ｓがコネクタフェルール１０の上側にオフセットされた状態となる。
【００３８】
このような偏肉ゴムブーツ３１を用いることにより、テープ心線４Ａ〜４Ｄを容易にテープ収容部１４に挿入できるだけでなく、接着剤Ｓの注入・硬化工程において、偏肉ゴムブーツ３１が接着剤Ｓの洩れを防ぐ機能を果たすことになる。従って、接着剤流れ止め部材等を別途用意しなくて済む。
【００３９】
図１０は、本発明に係わるコネクタ付き光ファイバコードの更に他の実施形態の一部を示す垂直方向断面図である。図中、上述した実施形態と同一または同等の部材には同じ符号を付し、その説明を省略する。
【００４０】
同図において、本実施形態のコネクタ付き光ファイバコード４０は、上述した実施形態におけるスペーサ２０または偏肉ゴムブーツ３１に代えて、積層状態のテープ心線４Ａ〜４Ｄ（テープ心線群２０）が挿通される収縮チューブ４１と、平板状のスペーサ４２とを有している。収縮チューブ４１は、例えば熱を加えると収縮するチューブである。
【００４１】
収縮チューブ４１を収縮させる前の通常状態では、収縮チューブ４１の開口が広いため、テープ心線群２０を収縮チューブ４１に挿通させるときに、テープ心線群２０を収縮チューブ４１に対して自由にスライドさせることができる。従って、テープ心線群２０を収縮チューブ４１に容易に組み付けることができる。また、収縮チューブ４１にテープ心線群２０が挿通された状態で、収縮チューブ４１を収縮させると、収縮チューブ４１はテープ心線群２０に対してきつく密着するようになる。これにより、接着剤Ｓの注入・硬化工程において、各テープ心線４Ａ〜４Ｄ間を接着剤Ｓが流れることを抑止できる。
【００４２】
テープ心線４Ａ〜４Ｄがコネクタフェルール１０に組み付けられている状態では、テープ心線群２０を挿通させた収縮チューブ４１がコネクタフェルール１０のテープ収容部１４に挿入されている。また、テープ収容部１４の底面１４ａと収縮チューブ４１との間には、スペーサ４２が配置されている。これにより、コネクタフェルール１０におけるファイバ穴領域１９の段方向の中心Ｒに対して、テープ心線群２０の積層方向の中心Ｓがコネクタフェルール１０の上側にオフセットされた状態となる。
【００４３】
このとき、収縮チューブ４１をテープ収容部１４に挿入してから、スペーサ４２をテープ収容部１４に差し込むことで、テープ心線４Ａ〜４Ｄを容易にテープ収容部１４に挿入することができる。
【００４４】
なお、本発明に係わるコネクタ付き光ファイバコードは、上記実施形態に限定されるものではない。
【００４５】
例えば、コネクタフェルール１０のファイバ穴領域１９に対してテープ心線群２０をオフセットさせる手段としては、上記実施形態の他に、コネクタフェルールの構造自体を変更しても良い。その一例を図１１に示す。コネクタフェルール４５の後側部分において、コネクタフェルール４５の下側の肉厚Ｄ１は、コネクタフェルール４５の上側の肉厚Ｄ２よりも大きくなっている。このようにすれば、テープ心線群２０をファイバ穴領域１９に対してオフセットさせるために、コネクタフェルール４５とは別の部品を用意しなくて済む。
【００４６】
また、最も下側の光ファイバ７がコネクタフェルール１０のガイド溝１３Ｄの後端に当たっても、当該光ファイバ７の損傷等が生じないのであれば、図５に示すように、特にテープ心線群２０をコネクタフェルール１０のファイバ穴領域１９に対してオフセットさせなくても良い。
【００４７】
さらに、上記実施形態では、テープ心線４Ａ〜４Ｄをジャケット５で覆う構成としたが、本発明のコネクタ付き光ファイバコードは、そのようなジャケットを設けずに、テープ心線を剥き出し状態としたものにも適用可能である。
【図面の簡単な説明】
【００４８】
【図１】本発明に係わるコネクタ付き光ファイバコードの一実施形態を示す斜視図である。
【図２】図１に示す光ファイバコードの断面図である。
【図３】図１に示すコネクタフェルールの斜視図である。
【図４】図３に示すコネクタフェルールの断面図である。
【図５】図４に示すコネクタフェルールのファイバ穴の配列ピッチと積層状態の複数枚の光ファイバテープ心線の配列ピッチとの関係を示す断面図である。
【図６】図２に示す光ファイバの一例を示す断面図である。
【図７】図３に示すコネクタフェルールに光ファイバテープ心線が組み付けられた状態を示す断面図である。
【図８】本発明に係わるコネクタ付き光ファイバコードの他の実施形態の一部を示す断面図である。
【図９】図８に示す偏肉ゴムブーツの斜視図である。
【図１０】本発明に係わるコネクタ付き光ファイバコードの更に他の実施形態の一部を示す断面図である。
【図１１】本発明に係わるコネクタ付き光ファイバコードの更に他の実施形態の一部を示す断面図である。
【符号の説明】
【００４９】
１…コネクタ付き光ファイバコード、４Ａ〜４Ｄ…光ファイバテープ心線、５…ジャケット、７…光ファイバ、１０…コネクタフェルール、１２Ａ〜１２Ｄ…ファイバ穴、１３Ａ〜１３Ｄ…ガイド溝、１４…テープ収容部、１８…空孔、１９…ファイバ穴領域、２０…テープ心線群、２１…スペーサ、３０…コネクタ付き光ファイバコード、３１…偏肉ゴムブーツ、３２…挿通孔、４０…コネクタ付き光ファイバコード、４１…収縮チューブ、４２…スペーサ。
【図１】
2005208168.tif 000003
【図２】
2005208168.tif 000004
【図３】
2005208168.tif 000005
【図４】
2005208168.tif 000006
【図５】
2005208168.tif 000007
【図６】
2005208168.tif 000008
【図７】
2005208168.tif 000009
【図８】
2005208168.tif 000010
【図９】
2005208168.tif 000011
【図１０】
2005208168.tif 000012
【図１１】
2005208168.tif 000013